(57)【要約】  第１のコネクタハウジングと第２のコネクタハウジングとの係合を保証するコネクタ位置保証（ＣＰＡ）部材。ＣＰＡ部材は、ＣＰＡ部材が完全ロック位置になるときに、閉電気回路に起因して、第２のコネクタハウジング内の導体を通じて電気を伝導することができる端子を含む。ＣＰＡ部材の端子は、ＣＰＡ部材がロック前位置になるときには、開電気回路に起因して、第２のコネクタハウジング内の導体を通じて電気を伝導することができない。【選択図】図２２
2021536096.tif 000002
【特許請求の範囲】
【請求項１】
電気を伝導するように構成されている第１の端子を有する第１の部材と、
電気を伝導するように構成されている第２の端子を有する第２の部材と、
少なくとも１つの突出部を有する可撓性ユニットであって、前記第１の端子および前記第２の端子は、互いに電気的に接続されておらず、第１のハウジングによって電気的に接続されていない、可撓性ユニットと、
を備える、コネクタ位置保証（ＣＰＡ）部材。
【請求項２】
前記ＣＰＡ部材が前記第１のハウジングに結合されており、前記可撓性ユニットの前記少なくとも１つの突出部が、前記第１のハウジング内の第１の突出部と係合しており、
前記第１のハウジングが第２のハウジングに結合されており、
前記第１の端子が、前記第２のハウジング内の導電体によって前記第２の端子に電気的に接続されていないときに、
前記ＣＰＡ部材はロック前位置にあることを特徴とする、請求項１に記載のコネクタ位置保証（ＣＰＡ）部材。
【請求項３】
前記ＣＰＡ部材が前記第１のハウジングに結合されており、前記可撓性ユニットの前記少なくとも１つの突出部が、前記第１のハウジング内の前記第１の突出部と係合しており、前記第１のハウジング内の第２の突出部と係合しており、
前記第１のハウジングが前記第２のハウジングに結合されており、
前記第１の端子が、前記第２のハウジング内の前記導電体によって前記第２の端子に電気的に接続されているときに、
前記ＣＰＡ部材は完全ロック位置にあることを特徴とする、請求項２に記載のコネクタ位置保証（ＣＰＡ）部材。
【請求項４】
前記第１の端子は端子ソケットであり、前記第２の端子は端子ソケットであり、前記第２のハウジング内の前記導電体は少なくとも２つの端子ピンを含むことを特徴とする、請求項３に記載のコネクタ位置保証（ＣＰＡ）部材。
【請求項５】
前記第１の端子は端子ピンであり、前記第２の端子は端子ピンであり、前記第２のハウジング内の前記導電体は少なくとも２つの端子ソケットを含むことを特徴とする、請求項３に記載のコネクタ位置保証（ＣＰＡ）部材。
【請求項６】
前記可撓性ユニットの前記少なくとも１つの突出部は、第１のＣＰＡ突出部および第２のＣＰＡ突出部を含むことを特徴とする、請求項１に記載のコネクタ位置保証（ＣＰＡ）部材。
【請求項７】
前記ＣＰＡ部材が第１のハウジングに結合されており、前記第１のＣＰＡ突出部が、前記第１のハウジング内の第１の突出部と係合しており、前記第２のＣＰＡ突出部が、前記第１のハウジング内の前記第１の突出部と係合しており、
前記第１のハウジングが第２のハウジングに結合されており、
前記第１の端子が、前記第２のハウジング内の導電体によって前記第２の端子に電気的に接続されていないときに、
前記ＣＰＡ部材はロック前位置にあることを特徴とする、請求項６に記載のコネクタ位置保証（ＣＰＡ）部材。
【請求項８】
前記ＣＰＡ部材が前記第１のハウジングに結合されており、前記第１のＣＰＡ突出部が、前記第１のハウジング内の前記第１の突出部と係合しており、前記第２のＣＰＡ突出部が、前記第１のハウジング内の前記第１の突出部と係合しており、前記第１のＣＰＡ突出部が、前記第１のハウジング内の第２の突出部と係合しており、
前記第１のハウジングが前記第２のハウジングに結合されており、
前記第１の端子が、前記第２のハウジング内の前記導電体によって前記第２の端子に電気的に接続されているときに、
前記ＣＰＡ部材は完全ロック位置にあることを特徴とする、請求項７に記載のコネクタ位置保証（ＣＰＡ）部材。
【請求項９】
前記可撓性ユニットは、第１の可撓性ユニットおよび第２の可撓性ユニットを含み、前記第１の可撓性ユニットは第１のＣＰＡ突出部を有し、前記第２の可撓性ユニットは第２のＣＰＡ突出部を有することを特徴とする、請求項１に記載のコネクタ位置保証（ＣＰＡ）部材。
【請求項１０】
前記ＣＰＡ部材が第１のハウジングに結合されており、前記第１のＣＰＡ突出部が、前記第１のハウジング内の第１の突出部と係合しており、前記第２のＣＰＡ突出部が、前記第１のハウジング内の第２の突出部と係合しており、
前記第１のハウジングが第２のハウジングに結合されており、
前記第１の端子が、前記第２のハウジング内の導電体によって前記第２の端子に電気的に接続されていないときに、
前記ＣＰＡ部材はロック前位置にあることを特徴とする、請求項９に記載のコネクタ位置保証（ＣＰＡ）部材。
【請求項１１】
前記ＣＰＡ部材が前記第１のハウジングに結合されており、前記第１のＣＰＡ突出部が、前記第１のハウジング内の第３の突出部と係合しており、前記第２のＣＰＡ突出部が、前記第１のハウジング内の第４の突出部と係合しており、
前記第１のハウジングが前記第２のハウジングに結合されており、
前記第１の端子が、前記第２のハウジング内の前記導電体によって前記第２の端子に電気的に接続されているときに、
前記ＣＰＡ部材は完全ロック位置にあることを特徴とする、請求項１０に記載のコネクタ位置保証（ＣＰＡ）部材。
【請求項１２】
第１の導電体を含む第１の端子部材と、
第２の導電体を含む第２の端子部材と、
を有する、コネクタ位置保証（ＣＰＡ）部材と、
第３の導電体を有するコネクタハウジングと、
付加的なハウジングと、
を備え、
前記ＣＰＡ部材が第１の距離を移動して前記コネクタハウジングと嵌合し、前記第１の導電体および前記第２の導電体が前記第３の導電体によって電気的に接続されていないとき、前記ＣＰＡ部材はロック前位置にあり、前記第１の導電体および前記第２の導電体が前記付加的なハウジングによって電気的に接続されていないことを特徴とする、コネクタシステム。
【請求項１３】
前記ＣＰＡ部材が第２の距離を移動して前記コネクタハウジングと嵌合し、前記第１の導電体および前記第２の導電体が前記第３の導電体によって電気的に接続されているとき、前記ＣＰＡ部材は完全ロック位置にあり、前記第２の距離は前記第１の距離よりも大きいことを特徴とする、請求項１２に記載のコネクタシステム。
【請求項１４】
前記ＣＰＡ部材が前記第１の距離を移動して前記コネクタハウジングと嵌合し、前記第１の導電体および前記第２の導電体が前記第３の導電体によって電気的に接続されていないとき、前記ＣＰＡ部材は前記ロック前位置にあり、前記付加的なハウジングは、前記コネクタハウジングと前記ＣＰＡ部材との間に配置されていることを特徴とする、請求項１２に記載のコネクタシステム。
【請求項１５】
前記ＣＰＡ部材が第２の距離を移動して前記コネクタハウジングと嵌合し、前記第１の導電体および前記第２の導電体が前記第３の導電体によって電気的に接続されているとき、前記ＣＰＡ部材は完全ロック位置にあり、前記付加的なハウジングは、前記コネクタハウジングと前記ＣＰＡ部材との間に配置されていることを特徴とする、請求項１２に記載のコネクタシステム。
【請求項１６】
第１の端子を有する第１の部材と、
第２の端子を有する第２の部材と、
少なくとも１つの突出部を有する可撓性ユニットであって、前記少なくとも１つの突出部は下方に延在する、可撓性ユニットと、
を備える、コネクタ位置保証（ＣＰＡ）部材。
【請求項１７】
前記ＣＰＡ部材がハウジングに結合されており、前記可撓性ユニットの前記少なくとも１つの突出部が、前記ハウジング内の第１の突出部と係合しており、
前記第１の端子が、前記ハウジング内の導電体によって前記第２の端子に電気的に接続されていないときに、
前記ＣＰＡ部材はロック前位置にあることを特徴とする、請求項１６に記載のコネクタ位置保証（ＣＰＡ）部材。
【請求項１８】
前記ＣＰＡ部材が前記ハウジングに結合されており、前記可撓性ユニットの前記少なくとも１つの突出部が、前記ハウジング内の前記第１の突出部と係合しており、
前記第１の端子が、前記ハウジング内の前記導電体によって前記第２の端子に電気的に接続されているときに、
前記ＣＰＡ部材は完全ロック位置にあることを特徴とする、請求項１７に記載のコネクタ位置保証（ＣＰＡ）部材。
【請求項１９】
コネクタ位置保証（ＣＰＡ）部材を第１のハウジング内に挿入し、ロック前位置にするステップと、
前記第１のハウジングを第２のハウジングに結合するステップと、
前記ＣＰＡ部材を前記第２のハウジング内に移動させ、完全ロック位置にするステップと、
前記ＣＰＡ部材の第１の端子と前記ＣＰＡ部材の第２の端子との間の閉電気回路状態を検出するステップであって、前記ＣＰＡ部材の前記第１の端子および前記第２の端子は、前記第１のハウジングによって電気的に接続されていない、ステップと、
を含む、コネクタシステムおよびコネクタ位置保証（ＣＰＡ）部材の電気回路を動作させる方法。
【請求項２０】
前記第２のハウジングは、前記第１の端子と前記第２の端子との間で電気を伝導するように構成されている導電体を有することを特徴とする、請求項１９に記載の方法。
【発明の詳細な説明】
【技術分野】
【０００１】
関連出願の相互参照
本特許出願は、２０１８年７月２３日に出願された米国仮特許出願第６２／７０１，９３９号に対する優先権を主張するものであり、この出願は、参照によりその全体が本明細書に援用される。
【背景技術】
【０００２】
本発明は、包括的には、コネクタシステムおよびコネクタ位置保証部材の電気回路に関する。コネクタシステムは、第１のコネクタハウジング、第２のコネクタハウジングおよびコネクタ位置保証部材を含むことができる。
【０００３】
コネクタ位置保証部材は、第１のコネクタハウジングと第２のコネクタハウジングとの係合を保証するためのものである。第１のコネクタハウジングは、コネクタ位置保証部材を受け取り、第１のコネクタハウジングと第２のコネクタハウジングとが互いに係合していることを保証する。
【発明の概要】
【課題を解決するための手段】
【０００４】
コネクタ位置保証（ＣＰＡ）部材は、第１のコネクタハウジングと第２のコネクタハウジングとの係合を保証するよう働く。最初のステップとして、ＣＰＡ部材を、ロック前位置になるように第１のコネクタハウジング内に挿入する。この最初のステップは、第２のコネクタハウジングが第１のコネクタハウジングと接触する前、または、第２のコネクタハウジングが第１のコネクタハウジングと接触した後で行うことができる。
【０００５】
第１のコネクタハウジングと第２のコネクタハウジングとをあわせて完全に係合させる場合、ＣＰＡ部材が完全ロック位置に配置されるときに、その完全な係合が保証される。すなわち、第２のコネクタハウジングが第１のコネクタハウジングと完全に係合すると、ＣＰＡ部材を、第１のコネクタハウジング内、および、第２のコネクタハウジング内にもさらに挿入することができ、それによって、ＣＰＡ部材は完全ロック位置になる。
【０００６】
第１のコネクタハウジングと第２のコネクタハウジングとの完全な係合は、ＣＰＡ部材が完全ロック位置になるときに保証される。
【０００７】
本発明のＣＰＡ部材は、少なくともＣＰＡ部材の第１のアーム内およびＣＰＡ部材の第２のアーム内の電気回路の構成要素を含む。ＣＰＡ部材がロック前位置にあるとき、第１のアームが第２のアームに電気的に接続されていないため、開回路が存在する。ＣＰＡ部材が完全ロック位置にあるとき、第１のアームが、第２のコネクタハウジング内に位置付けられている導電構成要素を通じて第２のアームに電気的に接続されているため、閉回路が存在する。機器を使用して電気回路が開いているかまたは閉じているかを検出することができる。電気回路が閉回路として検出される場合、これは、第１のコネクタハウジングが第２のコネクタハウジングと完全に係合しており、また、ＣＰＡ部材が完全ロック位置にあるという付加的な保証を提供する。
【０００８】
本発明のさらなる特徴、利点および実施形態が記載されるか、または、以下の詳細な説明、図面および特許請求の範囲の検討から明らかとなる。さらに、本発明の前述の概要および以下の詳細な説明はいずれも例示的なものであり、特許請求の範囲に記載のような本発明の範囲を限定することなく、さらなる説明を提供することが意図されることを理解されたい。
【図面の簡単な説明】
【０００９】
【図１】図１は、コネクタ位置保証部材、第１のコネクタハウジングおよび第２のコネクタハウジングを示す、本発明の原理に従ったコネクタシステムの分解斜視図である。
【図２】図２は、図１の第１のコネクタハウジングの前端面図である。
【図３】図３は、図１の第１のコネクタハウジングの後端面図である。
【図４】図４は、図１の第２のコネクタハウジングの後端面図である。
【図５】図５は、図１の第２のコネクタハウジングの前端面図である。
【図６】図６は、図１のコネクタ位置保証部材の斜視図である。
【図７】図７は、図１のコネクタ位置保証部材の上面図である。
【図８】図８は、図１のコネクタ位置保証部材の底面図である。
【図９】図９は、コネクタ位置保証部材がロック前位置にある状態で組み付けられている、図１のコネクタシステムの斜視図である。
【図１０】図１０は、図９のコネクタシステムの側面図である。
【図１１】図１１は、線１１−１１に沿った、図９のコネクタシステムの断面図である。
【図１２】図１２は、線１２−１２に沿った、図１０のコネクタシステムの断面図である。
【図１３】図１３は、線１３−１３に沿った、図１０のコネクタシステムの断面図である。
【図１４】図１４は、線１４−１４に沿った、図９のコネクタシステムの断面図である。
【図１５】図１５は、線１５−１５に沿った、図９のコネクタシステムの断面図である。
【図１６】図１６は、線１６−１６に沿った、図１０のコネクタシステムの断面図である。
【図１７】図１７は、線１７−１７に沿った、図１０のコネクタシステムの断面図である。
【図１８】図１８は、コネクタ位置保証部材が完全ロック位置にある状態で組み付けられている、図１のコネクタシステムの斜視図である。
【図１９】図１９は、図１８のコネクタシステムの側面図である。
【図２０】図２０は、線２０−２０に沿った、図１８のコネクタシステムの断面図である。
【図２１】図２１は、線２１−２１に沿った、図１９のコネクタシステムの断面図である。
【図２２】図２２は、線２２−２２に沿った、図１９のコネクタシステムの断面図である。
【図２３】図２３は、線２３−２３に沿った、図１８のコネクタシステムの断面図である。
【図２４】図２４は、線２４−２４に沿った、図１８のコネクタシステムの断面図である。
【図２５】図２５は、線２５−２５に沿った、図１９のコネクタシステムの断面図である。
【図２６】図２６は、線２６−２６に沿った、図１９のコネクタシステムの断面図である。
【図２７】図２７は、コネクタ位置保証部材が完全ロック位置にある状態で組み付けられている、図１のコネクタシステムの一部の斜視図である。
【発明を実施するための形態】
【００１０】
図１はコネクタ位置保証部材、第１のコネクタハウジングおよび第２のコネクタハウジングを示す、本発明の原理に従ったコネクタシステムの分解斜視図である。
【００１１】
図１は、コネクタ位置保証（ＣＰＡ）部材１００、第１のコネクタハウジング２００および第２のコネクタハウジング３００を示している。第１のコネクタハウジング２００は、雌型コネクタハウジング２００と称することができる。第２のコネクタハウジング３００は、雄型コネクタハウジング３００と称することができる。
【００１２】
図２は図１の第１のコネクタハウジング２００の前端面図である。図２は、第１のコネクタハウジング２００を示しており、これは、上側中央部分２０１、上側中央部分２０１の第１の側にある横向き開口部２０２ａ、上側中央部分２０１の第２の側にある横向き開口部２０２ｂ、横向き開口部２０２ａの内側壁２０４ａ、横向き開口部２０２ｂの内側壁２０４ｂ、上側中央部分２０１にある中央開口部２０６、上側中央部分２０１の中央ブリッジ２０８、細長可撓性部分２１２にある後方上側突起部２１０、壁２２０、および、後端カバー２２２を有する。横向き開口部２０２ａおよび２０２ｂは、貫通孔である。中央開口部２０６は貫通孔である。
【００１３】
図３は図１の第１のコネクタハウジング２００の後端面図である。図３は、第１のコネクタハウジング２００の開口部２１８を示している。
【００１４】
図４は図１の第２のコネクタハウジング３００の後端面図である。図４は、第２のコネクタハウジング３００を示しており、これは、上側中央部分３０１、上側中央部分３０１の後壁３１０、側壁３１４および後端カバー３２０を有する。
【００１５】
図５は図１の第２のコネクタハウジング３００の前端面図である。図５は、上側中央部分３０１の第１の側にある横向き開口部３０２ａ、上側中央部分３０１の第２の側にある横向き開口部３０２ｂ、上側中央部分３０１の内側シール３０４、上側中央部分３０１の前方キャップ３０６、上側中央部分３０１の上壁３０８、第１の端子ピン４０２ａおよび第２の端子ピン４０２ｂを示している。
【００１６】
図６は図１のコネクタ位置保証部材１００の斜視図である。図６は、コネクタ位置保証（ＣＰＡ）部材１００を示しており、これは、後方上側突起部１０２、後方下側レッジ１０４、ＣＰＡ部材１００の第１の側にある第１の円筒形端子部材１１０ａ、第１の円筒形端子部材１１０ａの前方開口部１１２ａ、ＣＰＡ部材１００の第１の側にある第１の可撓性部材１１８ａ、第１の可撓性部材１１８ａにある第１の突出部１１４ａ、第１の可撓性部材１１８ａにある第２の突出部１１６ａ、ＣＰＡ部材１００の第１の側にある第１の上側突起部１２０ａ、および、第１の円筒形端子部材１１０ａの後方突起部１２２ａを有する。
【００１７】
図７は図１のＣＰＡ部材１００の上面図である。図７は、ＣＰＡ部材１００の第２の側にある第２の円筒形端子部材１１０ｂ、第２の可撓性部材１１８ｂ、および、第２の突起部１２０ｂを示している。
【００１８】
ＣＰＡ部材１００は、２つのアーム１０６ａ，１０６ｂを有する。第１のアーム１０６ａは、ＣＰＡ部材１００の第１の側にあり、第１の円筒形端子部材１１０ａ、第１の円筒形端子部材１１０ａの前方開口部１１２ａ、第１の可撓性部材１１８ａ、第１の上側突起部１２０ａおよび後方突起部１２２ａを含む（図７を参照されたい）。第２のアーム１０６ｂは、ＣＰＡ部材１００の第２の側にあり、少なくとも、後ろ側方下側レッジ１０８ｂおよび第２の円筒形端子部材１１０ｂを含む（図６を参照されたい）。
【００１９】
図８は図１のＣＰＡ部材１００の底面図である。図８は、ＣＰＡ部材１００の後方底部１２４を示している。ＣＰＡ部材１００の第１の側にあるアーム１０６ａは、第１の円筒形端子部材１１０ａ、前方開口部１１２ａ、第１の突出部１１４ａ、第２の突出部１１６ａおよび可撓性部材１１８ａを有する。ＣＰＡ部材１００の第２の側にあるアーム１０６ｂは、第２の円筒形端子部材１１０ｂ、前方開口部１１２ｂ、第１の突出部１１４ｂ、第２の突出部１１６ｂ、可撓性部材１１８ｂ、および、第２の円筒形端子部材１１０ｂの後方突起部１２２ｂを有する。
【００２０】
図９はコネクタ位置保証部材１００がロック前位置にある状態で組み付けられている、図１のコネクタシステムの斜視図である。図９は、ＣＰＡ部材１００を示しており、これは、第１の円筒形端子部材１１０ａ、第１の円筒形部材１１０ａの後方突起部１２２ａ、第２の円筒形端子部材１１０ｂ、および、第２の円筒形部材１１０ｂの後方突起部１２２ｂを有する。図９は、第１のコネクタハウジング２００および第２のコネクタハウジング３００も示している。
【００２１】
図１０は図９のコネクタシステムの側面図である。図１１は線１１−１１に沿った、図９のコネクタシステムの断面図である。図１１は、第２の円筒形部材１１０ｂの内側部分１１３ｂ、第２の円筒形部材１１０ｂ内のシール１３０ｂ、および、シール１３０ｂの後方開口部１１１ｂを示している。図１１は、ＣＰＡ部材１００の第２の端子ソケット６００ｂに電気的に接続されているワイヤ５００ｂも示している。
【００２２】
図１２は線１２−１２に沿った、図１０のコネクタシステムの断面図を示している。図１２は、ＣＰＡ部材１００の第１の端子ソケット６００ａに接続されているワイヤ５００ａを示している。第１の円筒形端子部材１１０ａ内のシール１３０ａも示されている。シール１３０ａは後方開口部１１１ａを有する。第１の円筒形端子部材１１０ａは突出部１３２ａを有する。
【００２３】
第２のコネクタハウジング３００の第１の側は、横向き側方開口部３１８ａを有する。第２のコネクタハウジング３００の第１の側は、前方キャップ３０６の横向き側方突出部３１６ａも有する。突出部３１６ａは、横向き側方開口部３１８ａによって受け入れられ、そのような構成要素をあわせて保持する。第２のコネクタハウジング２００内の回路ブリッジ４０４が、第１の端子ピン４０２ａと第２の端子ピン４０２ｂとを電気的に接続する。
【００２４】
図１３は線１３−１３に沿った、図１０のコネクタシステムの断面図である。図１３は、第１の端子ピンのかかり固定部４０６ａおよび第２の端子ピンのかかり固定部４０６ｂを示しており、これらは、第１の端子ピン４０２Ａ、第２の端子ピン４０２Ｂおよび回路ブリッジ４００を第２のコネクタハウジング３００内の定位置に保持するのに役立つ。内側シール３０４は、第１の端子ピン４０２ａを収容する第１の内側部分３０３ａを有し、第２の端子ピン４０２ｂを収容する第２の内側部分３０３ｂを有する。
【００２５】
第１の円筒形端子部材１１０ａは、内側部分１１３ａを有する。内側部分１１３ａは、ワイヤ５００ａ、第１の端子ソケット６００ａおよびシール１３０ａを収容する。第２の円筒形端子部材１１０ｂは、内側部分１１３ｂを有する。内側部分１１３ｂは、ワイヤ５００ｂ、第１の端子ソケット６００ｂおよびシール１３０ｂを収容する。図１３は、第２の円筒形端子部材１１０ｂ内の突出部１３２ｂを示している。
【００２６】
第２のコネクタハウジング３００の第２の側は、横向き側方開口部３１８ｂを有する。第２のコネクタハウジング３００の第２の側は、前方キャップ３０６の横向き側方突出部３１６ｂも有する。突出部３１６ｂは、横向き側方開口部３１８ｂによって受け入れられ、そのような構成要素をあわせて保持する。
【００２７】
図１４は線１４−１４に沿った、図９のコネクタシステムの断面図である。図１４は、細長可撓性部材２１２の第２の側にある第１の中央突出部２１４ｂおよび第２の中央突出部２１６ｂを示している。
【００２８】
図１５は線１５−１５に沿った、図９のコネクタシステムの断面図である。図１６は線１６−１６に沿った、図１０のコネクタシステムの断面図である。図１６は、細長可撓性部材２１２の第１の側にある第１の中央突出部２１４ａおよび第２の中央突出部２１６ａを示している。図１７は線１７−１７に沿った、図１０のコネクタシステムの断面図である。
【００２９】
図１８はコネクタ位置保証部材が完全ロック位置にある状態で組み付けられている、図１のコネクタシステムの斜視図である。図１９は、図１８のコネクタシステムの側面図である。
【００３０】
図２０は線２０−２０に沿った、図１８のコネクタシステムの断面図である。図２１は線２１−２１に沿った、図１９のコネクタシステムの断面図である。図２２は線２２−２２に沿った、図１９のコネクタシステムの断面図である。図２３は線２３−２３に沿った、図１８のコネクタシステムの断面図である。
【００３１】
図２４は線２４−２４に沿った、図１８のコネクタシステムの断面図である。図２５は線２５−２５に沿った、図１９のコネクタシステムの断面図である。図２６は線２６−２６に沿った、図１９のコネクタシステムの断面図である。図２７は、コネクタ位置保証部材が完全ロック位置にある状態で組み付けられている、図１のコネクタシステムの一部の斜視図である。
【００３２】
シール１３０ａ，１３０ｂおよび３０４は、水および他の液体ならびに物質が入り、シールによって保護されている構成要素と接触することを防止するのに役立つように働く。シールは、少なくとも端子ピン４０２ａ，４０２ｂおよび端子ソケット６００ａ，６００ｂを保護する。
【００３３】
ＣＰＡ部材１００を第１のコネクタハウジング２００内に挿入し、それによってＣＰＡ部材１００をロック前位置に配置するためには、第１の円筒形端子部材１１０ａを、第１のコネクタハウジング２００の横向き開口部２０２ａ内に挿入しなければならず、一方、第２の円筒形端子部材１１０ｂは、第１のコネクタハウジング２００の横向き開口部２０２ｂ内に挿入される。
【００３４】
第１の円筒形端子部材１１０ａが第１のコネクタハウジング２００の横向き開口部２０２ａに貫入した後で、第１の円筒形端子部材１１０ａは、第２のコネクタハウジング３００の横向き開口部３０２ａにも貫入しなければならない。第２の円筒形端子部材１１０ｂが第１のコネクタハウジング２００の横向き開口部２０２ｂに貫入した後で、第２の円筒形端子部材１１０ｂは、第２のコネクタハウジング３００の横向き開口部３０２ｂにも貫入しなければならない。
【００３５】
第１の円筒形端子部材１１０ａは、第２のコネクタハウジング３００の横向き開口部３０２ａ内にも挿入しなければならず、一方、第２の円筒形端子部材１１０ｂは、第２のコネクタハウジング３００の横向き開口部３０２ｂ内に挿入される。
【００３６】
ＣＰＡ部材１００のロック前位置が図９〜図１７において示されている。第１のコネクタハウジング２００および第２のコネクタハウジング３００は、図９〜図２７において示されているように嵌まり合う（図１も参照されたい）。図１１において示されているように、ＣＰＡ部材１００の第２の端子ソケット６００ｂは、第２のコネクタハウジング３００の第２の端子ピン４０２ｂと電気的に接触していない。特に、前方開口部１１２ｂは、第２の端子ピン４０２ｂから離間されている。
【００３７】
図１２において示されているように、ＣＰＡ部材１００の第１の端子ソケット６００ａは、第２のコネクタハウジング３００の第１の端子ピン４０２ａと電気的に接触していない。特に、前方開口部１１２ａは、第１の端子ピン４０２ａから離間されている。ロック前位置において、第１の端子ソケット６００ａが第１の端子ピン４０２ａと電気的に接続されておらず、第２の端子ソケット６００ｂが第２の端子ピン４０２ｂと電気的に接続されていないため、開回路状態が存在し、したがって、電気はワイヤ５００ｂとワイヤ５００ａとの間を流れることができない。
【００３８】
図１４〜図１７において示されているように、ＣＰＡ部材１００は、第１の距離を押されて、第２のコネクタハウジング３００と嵌合している第１のコネクタハウジング２００内に入っており、それによって、第１の突出部１１４ｂは、第１の中央突出部２１４ｂを越えて移動しており、第２の突出部１１６ｂは、第１の中央突出部２１４ｂを越えて移動しており、第２の突出部１１６ｂは、第２の中央突出部２１６ｂを越えて移動していない。その第１の距離はロック前位置に対応する。第１の突出部１１４ｂおよび第２の突出部１１６ｂは、第２の部材１１８ｂが可撓性であるため、第１の中央突出部２１４ｂを越えて移動することが可能である。
【００３９】
ロック前位置において、図１５において示されているように、第１の円筒形端子部材１１０ａは、第１のコネクタハウジング２００の横向き開口部２０２ａを通して挿入されており、第２のコネクタハウジング３００の前方キャップ３０６内にも部分的に挿入されている。したがって、ロック前位置において、ＣＰＡ部材１００は、第１のコネクタハウジング２００および第２のコネクタハウジング３００のいずれとも係合している。
【００４０】
図１４〜図１７において示されているように、第１の中央突出部２１４ｂは、ＣＰＡ部材１００を正しいロック前位置において保持するのに役立ち、ＣＰＡ部材１００が第１のコネクタハウジング２００および第２のコネクタハウジング３００から外れ後方に移動することを防止する。図１４〜図１７において示されているように、第２の中央突出部２１６ｂは、ＣＰＡ部材１００を正しいロック前位置において保持するのに役立ち、ＣＰＡ部材１００が完全ロック位置に意図せず移動することを防止する。
【００４１】
図１４〜図１７において示されているように、第１の突出部１１４ａは、第１の中央突出部２１４ａを越えて移動しており、第２の突出部１１６ａは、第１の中央突出部１１４ａを越えて移動しており、第１の中央突出部２１４ａは、第２の中央突出部２１６ａを越えて移動しておらず、第２の突出部１１６ａは、第２の中央突出部２１６ａを越えて移動していない。第１の中央突出部２１４ａは、ＣＰＡ部材１００を正しいロック前位置において保持するのに役立ち、ＣＰＡ部材１００が第１のコネクタハウジング２００および第２のコネクタハウジング３００から外れ後方に移動することを防止する。第２の中央突出部２１６ａは、ＣＰＡ部材１００を正しいロック前位置において保持するのに役立ち、ＣＰＡ部材１００が完全ロック位置に意図せず移動することを防止する。第１の突出部１１４ａおよび第２の突出部１１６ａは、第１の部材１１８ａが可撓性であるため、第１の中央突出部２１４ａを越えて移動することが可能である。
【００４２】
図１７において示されているように、ロック前位置に関して、第１のコネクタハウジング２００の後方上側突起部２１０は、ＣＰＡ部材１００の後方下側レッジ１０４の真上にない。したがって、ロック前位置の場合、第１のコネクタハウジング２００の後方上側突起部２１０は、ＣＰＡ部材１００の後方下側レッジ１０４の上方への移動を阻止していない。ＣＰＡ部材１００がロック前位置にあるとき、後方上側突起部１０２を上方に移動することができる（図１０を参照されたい）。
【００４３】
ＣＰＡ部材１００の完全ロック位置が図１８〜図２７において示されている。図２０において示されているように、ＣＰＡ部材１００の第２の端子ソケット６００ｂは、第２のコネクタハウジング３００の第２の端子ピン４０２ｂと電気的に接触している。特に、前方開口部１１２ｂに第２の端子ピン４０２ｂが貫入している。
【００４４】
図２２において示されているように、ＣＰＡ部材１００の第１の端子ソケット６００ａは、第２のコネクタハウジング３００の第１の端子ピン４０２ａと電気的に接触している。特に、前方開口部１１２ａに第１の端子ピン４０２ａが貫入している。
【００４５】
完全ロック位置において、第１の端子ソケット６００ａが第１の端子ピン４０２ａと電気的に接続されており、一方、第２の端子ソケット６００ｂも第２の端子ピン４０２ｂと電気的に接続されているため、閉回路状態が存在し、したがって、電気はワイヤ５００ｂおよびワイヤ５００ａを通ってワイヤ５００ｂとワイヤ５００ａとの間を流れることができる。
【００４６】
図２３において示されているように、ＣＰＡ部材１００は、第２の距離だけ第１のコネクタハウジング２００および第２のコネクタハウジング３００内に押し込まれており、それによって、第２の突出部１１６ｂは、第２の中央突出部２１６ｂを越えて移動している。その第２の距離は完全ロック位置に対応する。第２の中央突出部２１６ｂは、ＣＰＡ部材１００を正しい完全ロック位置において保持するのに役立ち、ＣＰＡ部材１００が第１のコネクタハウジング２００および第２のコネクタハウジング３００から外れることを防止する。
【００４７】
完全ロック位置において、第２の突出部１１６ａは、第２のコネクタハウジング３００内により深く移動しており、第２の中央突出部２１６ａを越えて移動している。図２５において示されているように、第１の突出部１１４ａは、第１の中央突出部２１４ａを越えて移動しているが、第２の中央突出部２１６ａを越えて移動していない。第２の中央突出部２１６ａは、ＣＰＡ部材１００を正しい完全ロック位置において保持するのに役立ち、ＣＰＡ部材１００が第１のコネクタハウジング２００および第２のコネクタハウジング３００から外れることを防止する。
【００４８】
図２５〜図２７において示されているように、完全ロック位置に関して、第１のコネクタハウジング２００の後方上側突起部２１０は、ＣＰＡ部材１００の後方下側レッジ１０４の真上にある。したがって、完全ロック位置の場合、第１のコネクタハウジング２００の後方上側突起部２１０は、ＣＰＡ部材１００の後方下側レッジ１０４の上方への移動を阻止している。ＣＰＡ部材１００が完全ロック位置にあるとき、後方上側突起部１０２を上方に移動することはできない（図２０および図２１を参照のこと）。
【００４９】
本発明のコネクタシステムは、ＣＰＡ部材１００が輸送および取り扱い中にロック前位置に留まることを助ける。
【００５０】
本発明のコネクタシステムは、例えば、異なるＣＰＡ部材が輸送および取り扱い中に意図せず移動して完全ロック位置になった後で、その異なるＣＰＡ部材を完全ロック位置からロック前位置に移動させようとするといった、ユーザーが二次的な操作をする必要性を回避するのに役立つ。
【００５１】
本発明のＣＰＡ部材１００は、少なくともＣＰＡ部材１００の第１のアーム１０６ａ内およびＣＰＡ部材１００の第２のアーム１０６ｂ内の電気回路の構成要素を含む。第１のアーム１０６ａは、少なくとも端子ソケット６００ａおよびワイヤ５００ａを有する。第２のアーム１０６ｂは、少なくとも端子ソケット６００ｂおよびワイヤ５００ｂを有する。第２のコネクタハウジング３００は、少なくとも、回路ブリッジ４０４によって互いに接続されている端子ピン４０２ａ，４０２ｂを有する。
【００５２】
ＣＰＡ部材１００がロック前位置にあるとき、第１の端子部材１１０ａが第２のコネクタハウジング３００を通じて第２の端子部材１１０ｂと電気的に接続されていないため、開電気回路が存在する。ＣＰＡ部材１００が完全ロック位置にあるとき、第１の端子部材１１０ａが、第２のコネクタハウジング３００内に位置付けられている導電構成要素を通じて第２の端子部材１１０ｂと電気的に接続されているため、閉電気回路が存在する。
【００５３】
マルチメータもしくはマルチテスタまたは他のデバイスなどの電子計測器を、ワイヤ５００ａおよびワイヤ５００ｂに接続し、電気回路が開いているかまたは閉じているかを検出するのに使用することができる。電気回路が閉回路として検出される場合、これは、第１のコネクタハウジング２００が第２のコネクタハウジング３００と完全に係合しており、また、ＣＰＡ部材１００が完全ロック位置にあるという付加的な保証を提供する。
【００５４】
本発明のコネクタシステムは、（１）ＣＰＡ部材１００と第１のコネクタハウジング２００とを嵌合させるか、または、ＣＰＡ部材１００を、ロック前位置に対応する第１の距離だけ第１のコネクタハウジング２００内に挿入し、（２）第１のコネクタハウジング２００と第２のコネクタハウジング３００とを結合させ、（３）ワイヤ５００ａ，５００ｂに接続されている電子計測器を使用することにより、開電気回路状態を検出し、（４）ＣＰＡ部材１００を、完全ロック位置に対応する第２の距離だけ第２のコネクタハウジング３００内に移動させ、（５）ワイヤ５００ａ，５００ｂに接続されている電子計測器を使用することにより、閉電気回路状態を検出することによって、動作させることができる。
【００５５】
ＣＰＡ部材１００は、ＣＰＡデバイス１００またはＣＰＡユニット１００と称することができる。第１の可撓性部材１１８ａは、第１の可撓性ユニット１１８ａと称することができる。第２の可撓性部材１１８ｂは、第２の可撓性ユニット１１８ｂと称することができる。ＣＰＡ部材１００にある突出部１１４ａ，１１４ｂ、１１６ａ，１１６ｂは、ＣＰＡ突出部１１４ａ，１１４ｂ、１１６ａ，１１６ｂと称することができる。図１６において示されているように、第１のコネクタハウジング２００の細長可撓性部材２１２にある突出部２１４ａ，２１４ｂ、２１６ａ，２１６ｂは、ハウジング突出部２１４ａ，２１４ｂ、２１６ａ，２１６ｂと称することができる。
【００５６】
本発明の第２の実施形態は、２つの端子ソケット６００ａ、６００ｂの代わりに２つの端子ピンを有するＣＰＡ部材を含み、２つの端子ピン４０２ａ，４０２ｂの代わりに２つの端子ソケットを有する第２のコネクタハウジングを含む。第２の実施形態においては、２つの端子ソケットは、回路ブリッジ４０４に電気的に接続されている。
【００５７】
本発明の第３の実施形態は、２つの可撓性部材１１８ａ，１１８ｂの代わりに１つのみの可撓性部材を有し、この場合、１つの可撓性部材は、第１の可撓性部材１１８ａが位置付けられる場所または第２の可撓性部材１１８ｂが位置付けられる場所のいずれかに位置付けられる。
【００５８】
上記の記載は、本発明の好ましい実施形態に関するものであるが、他の変形および変更が当業者には明らかであり、本発明の趣旨または範囲から逸脱することなく他の変形および変更を行うことができることに留意されたい。さらに、本発明の１つの実施形態に関連して記載されている特徴は、上記で明示的に記載されていない場合であっても、他の実施形態とともに使用することができる。
【符号の説明】
【００５９】
１００  コネクタ位置保証（ＣＰＡ）部材
１０２  ＣＰＡ部材１００の後方上側突起部
１０４  ＣＰＡ部材１００の後方下側レッジ
１０６ａ  ＣＰＡ部材１００の第１のアーム
１０６ｂ  ＣＰＡ部材１００の第２のアーム
１０８  ＣＰＡ部材１００のアームの後ろ側方下側レッジ
１１０ａ  ＣＰＡ部材１００の第１の側にある第１の円筒形端子部材
１１０ｂ  ＣＰＡ部材１００の第２の円筒形端子部材
１１１ａ  ＣＰＡ部材１００の第１の円筒形端子部材内にあるシールの後方開口部
１１１ｂ  ＣＰＡ部材１００の第２の円筒形端子部材内にあるシールの後方開口部
１１２ａ  ＣＰＡ部材１００の第１の円筒形端子部材内の前方開口部
１１２ｂ  ＣＰＡ部材１００の第２の円筒形端子部材内の前方開口部
１１３ａ  ＣＰＡ部材１００の第１の円筒形端子部材の内側部分
１１３ｂ  ＣＰＡ部材１００の第２の円筒形端子部材の内側部分
１１４ａ  ＣＰＡ部材１００の第１の可撓性部材にある第１の突出部
１１４ｂ  ＣＰＡ部材１００の第２の可撓性部材にある第１の突出部
１１６ａ  ＣＰＡ部材１００の第１の可撓性部材にある第２の突出部
１１６ｂ  ＣＰＡ部材１００の第２の可撓性部材にある第２の突出部
１１８ａ  ＣＰＡ部材１００の第１の可撓性部材
１１８ｂ  ＣＰＡ部材１００の第２の可撓性部材
１２０ａ  ＣＰＡ部材１００の第１の上側突起部
１２０ｂ  ＣＰＡ部材１００のアームの第２の突起部
１２２ａ  ＣＰＡ部材１００の第１の円筒形端子部材の後方突起部
１２２ｂ  ＣＰＡ部材１００の第２の円筒形端子部材の後方突起部
１２４  ＣＰＡ部材１００の後方底部
１３０ａ  ＣＰＡ部材１００の第１の円筒形端子部材内のシール
１３０ｂ  ＣＰＡ部材１００の第２の円筒形端子部材内のシール
１３２ａ  ＣＰＡ部材１００の第１の円筒形端子部材内の突出部
１３２ｂ  ＣＰＡ部材１００の第２の円筒形端子部材内の突出部
２００  第１のコネクタハウジング
２０１  第１のコネクタハウジング２００の上側中央部分
２０２ａ  第１のコネクタハウジング２００の上側中央部分の第１の側にある横向き開口部
２０２ｂ  第１のコネクタハウジング２００の上側中央部分の第２の側にある横向き開口部
２０４ａ  第１のコネクタハウジング２００の上側中央部分の第１の側にある横向き開口部の内側壁
２０４ｂ  第１のコネクタハウジング２００の上側中央部分の第１の側にある横向き開口部の内側壁
２０６  第１のコネクタハウジング２００の上側中央部分内の中央開口部
２０８  第１のコネクタハウジング２００の上側中央部分の中央ブリッジ
２１０  第１のコネクタハウジング２００の細長可撓性部材の後方上側突起部
２１２  第１のコネクタハウジング２００の細長可撓性部材
２１４ａ  細長可撓性部材２１２の第１の側にある第１の中央突出部
２１４ｂ  細長可撓性部材２１２の第２の側にある第１の中央突出部
２１６ａ  細長可撓性部材２１２の第１の側にある第２の中央突出部
２１６ｂ  細長可撓性部材２１２の第２の側にある第２の中央突出部
２１８  第１のコネクタハウジング２００の開口部
２２０  第１のコネクタハウジング２００の壁
２２２  第１のコネクタハウジング２００の後端カバー
３００  第２のコネクタハウジング
３０１  第２のコネクタハウジング３００の上側中央部分
３０２ａ  第２のコネクタハウジング３００の上側中央部分の第１の側にある横向き開口部
３０２ｂ  第２のコネクタハウジング３００の上側中央部分の第２の側にある横向き開口部
３０３ａ  第２のコネクタハウジング３００の内側シール３０４の第１の内側部分
３０３ｂ  第２のコネクタハウジング３００の内側シール３０４の第２の内側部分
３０４  第２のコネクタハウジング３００の上側中央部分の内側シール
３０６  第２のコネクタハウジング３００の上側中央部分の前方キャップ
３０８  第２のコネクタハウジング３００の上側中央部分の上壁
３１０  第２のコネクタハウジング３００の上側中央部分の後壁
３１４  第２のコネクタハウジング３００の側壁
３１６ａ  第２のコネクタハウジング３００の第１の側にある上側中央部分の前方キャップの横向き側方突出部
３１６ｂ  第２のコネクタハウジング３００の第２の側にある上側中央部分の前方キャップの横向き側方突出部
３１８ａ  第２のコネクタハウジング３００の第１の側にある横向き側方開口部
３１８ｂ  第２のコネクタハウジング３００の第２の側にある横向き側方開口部
３２０  第２のコネクタハウジング３００の後端カバー
４０２ａ  第２のコネクタハウジング３００の第１の端子ピン
４０２ｂ  第２のコネクタハウジング３００の第２の端子ピン
４０４  回路ブリッジ
４０６ａ  第１の端子ピンのかかり固定部
４０６ｂ  第２の端子ピンのかかり固定部
５００ａ  ＣＰＡ部材１００の第１の端子ソケットに接続されているワイヤ
５００ｂ  ＣＰＡ部材１００の第２の端子ソケットに接続されているワイヤ
６００ａ  ＣＰＡ部材１００の第１の端子ソケット
６００ｂ  ＣＰＡ部材１００の第２の端子ソケット
【図１】
2021536096.tif 000003
【図２】
2021536096.tif 000004
【図３】
2021536096.tif 000005
【図４】
2021536096.tif 000006
【図５】
2021536096.tif 000007
【図６】
2021536096.tif 000008
【図７】
2021536096.tif 000009
【図８】
2021536096.tif 000010
【図９】
2021536096.tif 000011
【図１０】
2021536096.tif 000012
【図１１】
2021536096.tif 000013
【図１２】
2021536096.tif 000014
【図１３】
2021536096.tif 000015
【図１４】
2021536096.tif 000016
【図１５】
2021536096.tif 000017
【図１６】
2021536096.tif 000018
【図１７】
2021536096.tif 000019
【図１８】
2021536096.tif 000020
【図１９】
2021536096.tif 000021
【図２０】
2021536096.tif 000022
【図２１】
2021536096.tif 000023
【図２２】
2021536096.tif 000024
【図２３】
2021536096.tif 000025
【図２４】
2021536096.tif 000026
【図２５】
2021536096.tif 000027
【図２６】
2021536096.tif 000028
【図２７】
2021536096.tif 000029
【国際調査報告】
2021536096.tif 000030